(57)【要約】【課題】１台のカメラコントロールユニットに複数のカメラヘッドを接続可能にすることでテレビジョンカメラシステムの省スペース化及び配線の簡略化を図る。【解決手段】カメラコントロールユニットに複数の伝送部と複数の映像信号受信部、複数の送り返し映像信号切り替え部、複数の送り返し映像信号送信部を備えることで、同じカメラコントロールユニットに接続した別のカメラヘッド部で撮像した映像信号を送り返し映像信号切り替え部で選択可能にする。【選択図】図２
2013251675.tif 000002
【特許請求の範囲】
【請求項１】
複数のカメラヘッドとそれぞれケーブルで接続し、前記カメラヘッドからそれぞれ映像信号を受信するカメラコントロールユニットにおいて、
前記カメラヘッドのそれぞれから映像信号を受信する複数のカメラコントロール部、前記カメラコントロール部と前記ケーブルで接続された前記カメラヘッドが撮像した映像信号を、前記カメラコントロール部のそれぞれから入力され、外部機器に出力する映像信号出力部、及び、外部から折り返し映像信号を入力し、前記カメラコントロール部のそれぞれに出力する外部映像信号切り替え部を有し、
前記コントロールユニット部は、当該カメラコントロール部と前記ケーブルで接続された前記カメラヘッドが撮像した映像信号を入力され前記映像信号出力部及び他のカメラコントール部に出力する映像信号受信部と、前記外部映像信号切り替え部及び他の前記カメラコントール部から映像信号を入力され、入力された映像信号から１つの映像信号を選択して出力する送り返し映像信号切り替え部と、前記送り返し映像信号切り替え部から出力された映像信号を前記ケーブルで接続された前記カメラヘッドに送信するための送り返し映像信号送信部とを具備することを特徴とするカメラコントロールユニット。
【発明の詳細な説明】
【技術分野】
【０００１】
本発明は、テレビジョンカメラシステムの簡略化を可能としたカメラコントロールユニットに関するものである。
【背景技術】
【０００２】
はじめに、従来のテレビジョンカメラシステムの構成について、図１を用いて説明する。図１は、従来のテレビジョンカメラシステムの構成の一例を示すブロック図である。１０９はカメラヘッド、１１０はカメラコントロールユニット、１９０はカメラヘッド１０９とカメラコントロールユニット１１０とを接続するケーブルである。
また、カメラヘッド１０９において、１０１はレンズ、１０２は撮像部、１０３は映像信号処理部、１０４はモニター映像出力部、１０５はモニター映像出力信号切り替え部、１０６は映像信号送信部、１０７は送り返し映像信号受信部、１０８は伝送部、１５１はモニター映像出力部１０４の出力端子である。
また、カメラコントロールユニット１１０において、１１１は伝送部、１１２は映像信号受信部、１１３は送り返し映像信号送信部、１１４は送り返し映像信号切り替え部、１１５は映像出力部、１１６は外部送り返し映像信号入力部、１５２は映像出力部１１５の出力端子、１５３は外部送り返し映像信号入力部１１６の入力端子である。
なお、レンズ１０１を、カメラヘッド１０９の構成要素ではなく、テレビジョンカメラシステムの構成の一部とする場合もある。即ち、テレビジョンカメラシステムが、レンズ１０１、カメラヘッド１０９、カメラコントロールユニット１１０、及びケーブル１９０で構成されても良い。
【０００３】
図１のテレビジョンカメラシステムにおいて、まず入射光は、レンズ１０１を通り、撮像部１０２の受光面に至る。撮像部１０２は入射光を電気信号に変換し、映像信号処理部１０３に出力する。映像信号処理部１０３は、入力された電気信号に所定の映像信号処理を施して、映像信号送信部１０６とモニター映像出力信号切り替え部１０５に出力する。映像信号送信部１０６は、入力された映像信号を送信映像信号として伝送部１０８に出力する。伝送部１０８は、入力された送信映像信号をカメラコントロールユニット１１０に向かって送信する。
カメラヘッド１０９とカメラコントロールユニット１１０間の双方向通信は、例えば、光ファイバによる光通信、あるいは、同軸ケーブル等の信号線による伝送、などで行う。
【０００４】
カメラコントロールユニット１１０の映像信号受信部１１２は、カメラヘッド１０９で撮像した映像信号を、伝送部１１１を介して受信し、映像信号出力部１１５に出力する。映像信号出力部１１５は、入力された映像信号を出力端子１５２及びケーブル１９０を介して出力する。
なお、カメラヘッド１０９とカメラコントロールユニット１１０が分離されている理由は、例えば、制御室に設置したカメラコントロールユニット１１０とスタジオなどの撮影場所に設置したカメラヘッド１０９が、数十メートルから数キロメートル離れているためである。
カメラヘッド１０９とカメラコントロールユニット１１０間の通信は、伝送部１０８と伝送部１１１間で行い、光ケーブルによるもの、トライアックスケーブルによるもの、あるいは、無線によるものがある。
【０００５】
また、カメラマンが番組で放送中の映像信号や別のカメラマンが撮影している映像をモニターするために、送り返し映像信号が使用される。
カメラコントロールユニット１１０の外部送り返し映像信号入力部１１６には、入力端子１５３を介して、外部からの映像信号が入力される。外部送り返し映像信号入力部１１６は、入力された外部からの映像信号（送り返し映像信号）を、送り返し映像信号切り替え部１１４に出力する。
送り返し映像信号切り替え部１１４は、あらかじめ設定された選択規則によって送り返し映像信号を選択して、送り返し映像信号送信部１１３に出力する。または、送り返し映像信号切り替え部１１４は、カメラマンが選択した送り返し映像信号を選択して、送り返し映像信号送信部１１３に出力する。
【０００６】
送り返し映像信号送信部１１３は、入力された送り返し映像信号を、伝送部１１１及びケーブル１９０を介して、カメラヘッド１０９に出力する。
カメラヘッド１０９では、送り返し映像信号受信部１０７が、伝送部１０８を介して、送り返し映像信号を受信する。
送り返し映像信号受信部１０７は、入力された送り返し映像信号を、モニター映像出力信号切り替え部１０５に出力する。モニター映像出力信号切り替え部１０５は、撮像部１０２からの映像信号と送り返し映像信号受信部１０７で受信した送り返し映像信号を切り替え、モニター映像出力部１０４に出力する。
モニター映像出力部１０４は、入力された映像信号をモニター映像として、出力端子１５１から図示しないモニターに出力する。
【０００７】
従来、複数のカメラヘッドを一台のカメラコントロールユニットに接続する例としては、例えば、特許文献１に記載がある。
特許文献１では、一台のカメラコントロールに対して、複数のカメラヘッドを接続する。これによって、カメラコントロールユニットで複数のカメラヘッドにより撮像された複数映像信号が入力される。これをもとに、カメラコントロールユニットは、所望の映像信号処理がなされた映像信号を得ることができ、撮像装置の組合せの切替えをより容易にし、さらに、装置の小型化を図っている。
【先行技術文献】
【特許文献】
【０００８】
【特許文献１】特開２００５−１０９９６６号公報
【発明の概要】
【発明が解決しようとする課題】
【０００９】
本発明は、一台のカメラコントロールユニットに複数のカメラヘッドを接続可能にすることで、カメラヘッドのモニター映像出力部から出力可能な送り返し映像信号を同じカメラコントロールユニットに接続した別のカメラヘッドで撮像した映像信号から得ることができ、テレビジョンカメラシステムの省スペース化及び配線の簡略化を図ることを目的とする。
【課題を解決するための手段】
【００１０】
上記の目的を達成するため、本発明のテレビジョンカメラシステムは、カメラコントロールユニットに複数の伝送部と複数の映像信号受信部、複数の送り返し映像信号切り替え部、複数の送り返し映像信号送信部を備えることで、同じカメラコントロールユニットに接続した別のカメラヘッド部で撮像した映像信号を送り返し映像信号切り替え部で選択可能にするものである。
即ち、本発明のカメラコントロールユニットは、複数のカメラヘッドとそれぞれケーブルで接続し、前記カメラヘッドからそれぞれ映像信号を受信するカメラコントロールユニットにおいて、前記カメラヘッドのそれぞれから映像信号を受信する複数のカメラコントロール部、前記カメラコントロール部と前記ケーブルで接続された前記カメラヘッドが撮像した映像信号を、前記カメラコントロール部のそれぞれから入力され、外部機器に出力する映像信号出力部、及び、外部から折り返し映像信号を入力し、前記カメラコントロール部のそれぞれに出力する外部映像信号切り替え部を有し、前記コントロールユニット部は、当該カメラコントロール部と前記ケーブルで接続された前記カメラヘッドが撮像した映像信号を入力され前記映像信号出力部及び他のカメラコントール部に出力する映像信号受信部と、前記外部映像信号切り替え部及び他の前記カメラコントール部から映像信号を入力され、入力された映像信号から１つの映像信号を選択して出力する送り返し映像信号切り替え部と、前記送り返し映像信号切り替え部から出力された映像信号を前記ケーブルで接続された前記カメラヘッドに送信するための送り返し映像信号送信部とを具備するものである。
【発明の効果】
【００１１】
本発明によれば、従来は、カメラコントロールユニットと別のカメラコントロールユニット間で必要であったケーブルによる外部配線が不要になり、テレビジョンカメラシステムの簡略化が実現できる。
【図面の簡単な説明】
【００１２】
【図１】従来のテレビジョンカメラシステムの構成の一例を示すブロック図である。
【図２】本発明のテレビジョンカメラシステムの構成の一実施例を示すブロック図である。
【図３】本発明のテレビジョンカメラシステムの構成の一実施例を示すブロック図である。
【図４】本発明のテレビジョンカメラシステムの構成の一実施例を示すブロック図である。
【発明を実施するための形態】
【００１３】
以下に本発明の一実施形態について、図面等を用いて説明する。
なお、以下の説明は、本発明の一実施形態を説明するためのものであり、本願発明の範囲を制限するものではない。従って、当業者であればこれらの各要素若しくは全要素をこれと均等なものに置換した実施形態を採用することが可能であり、これらの実施形態も本願発明の範囲に含まれる。
また、各図の説明において、すでに説明した図１を含め、共通な機能を有する構成要素には同一の参照番号を付し、できるだけ説明の重複を避ける。
【実施例１】
【００１４】
まず、本発明の第１の実施形態として、外部送り返し映像信号入力を送り返し信号とする場合について、図２を用いて説明する。図２は、本発明のテレビジョンカメラシステムの構成の一実施例を示すブロック図である。１０９−１は別のカメラヘッド、２１０はカメラコントロールユニット、１９０−１はカメラヘッド１０９−１とカメラコントロールユニット２１０とを接続するケーブルである。
なお、カメラヘッド１０９−１の構成は、カメラヘッド１０９と同一であるので、説明を省略する。
また、カメラコントロールユニット２１０において、２２０と２２０−１はカメラコントロール部、２１５は映像出力部、２１６は外部送り返し映像信号入力部である。また、カメラコントロール部２２０及び２２０−１のそれぞれにおいて、２１４は送り返し映像信号切り替え部である。さらに、カメラコントロール部２２０及び２２０−１のそれぞれは、伝送部１１１、映像信号受信部１１２、送り返し映像信号送信部１１３、及び送り返し映像信号切り替え部２１４から成る。
なお、図２のカメラコントロールユニット２１０において、カメラコントロール部２２０及び２２０−１を含め、カメラコントロール部は、合計ｍ組設けられ、ｍ台またはｍ台未満のカメラヘッドと、ケーブル１９０、１９０−１、・・・、１９０−（ｍ−１）で接続可能である（ｍは２以上の自然数。）。図２の実施例では、ｍ＝２台のカメラヘッド及びｍ組のカメラコントロール部を示している。
【００１５】
図２において、外部送り返し映像信号入力部２１６は、入力端子１５３を介して入力された映像信号を、複数のカメラコントロール部２２０、２２０−１に出力する。それぞれのカメラコントロール部２２０、２２０−１では、入力端子１５３を介して入力された映像信号を、送り返し映像信号切り替え部２１４が受信する。
それぞれの送り返し映像信号切り替え部２１４は、入力された映像信号の中から、所望の映像信号を選択し、送り返し映像信号送信部１１３、及び伝送部１１１を介して、カメラヘッド１０９やカメラヘッド１０９−１に出力する。
ここで、送り返し映像信号切り替え部２１４は、例えば、図示しない外部切り替え装置からの切り替え信号により、カメラヘッド１０９やカメラヘッド１０９−１に出力する映像信号を選択する。また例えば、送り返し映像信号切り替え部２１４は、上位装置からの制御によって、カメラヘッド１０９やカメラヘッド１０９−１に出力する所望の映像信号を選択する。
【００１６】
以下、カメラヘッド１０９によって、カメラヘッドの動作を代表して説明する。
カメラヘッド１０９では、上記の外部送り返し映像信号を、伝送部１０８が受信して、外部送り返し映像信号を抽出し、抽出した外部送り返し映像信号を送り返し映像信号受信部１０７に出力する。映像信号受信部１０７は、入力された外部送り返し映像信号をモニターの表示形式に変換してモニター映像出力信号切り替え部１０５に出力する。
モニター映像出力信号切り替え部１０５は、当該カメラヘッド１０９で撮像し映像信号処理をした映像信号、または外部送り返し映像信号のどちらかを選択して、モニター映像出力部１０４に出力する。モニター映像出力部１０４は、入力された映像信号を、出力端子１５１を介してモニター等の外部機器に出力する。
ここで、モニター映像出力信号切り替え部１０５は、例えば、図示しないカメラヘッド１０９の図示しない操作パネルからの切り替え信号、または、カメラコントロールユニット１１０からの制御信号に基づいて、所望の映像信号を選択する。
【００１７】
次に、１つの同じカメラコントロールユニットに接続した他のカメラヘッドの映像信号を送り返し映像信号とする場合について、図２を用いて説明する。
カメラヘッド１０９は、撮像した映像信号は、ケーブル１９０を介して、カメラコントロールユニット１１０に出力する。
カメラコントロールユニット１１０のカメラコントロール部２２０は、カメラヘッド１０９から入力された映像信号を受信する。
カメラコントロール部２２０の伝送部１１１は、入力された映像信号を受信し、抽出した映像信号を映像信号受信部１１２に出力する。映像信号受信部１１２は、入力された映像信号を受信し、映像信号出力部２１５に出力すると共に、他のカメラコントロール部２２０−１に出力する。他のカメラコントロール部が複数組あれば、すべてのカメラコントロール部にそれぞれ出力する。
映像信号出力部２１５は、入力された映像信号を、出力端子１５２を介して外部機器に出力する。
【００１８】
他のカメラコントロール部２２０−１は、カメラコントロール部２２０から入力された映像信号を、折り返し映像信号切り替え部２１４が受信する。
折り返し映像信号切り替え部２１４は、他の複数のカメラコントローブ２２０から入力された映像信号、及び、外部折り返し映像信号入力部２１６から入力された映像信号のいずれか１つを選択して、送り返し映像信号送信部１１３に出力する。送り返し映像信号送信部１１３は、入力された映像信号を伝送部１１１及びケーブル１９０−１を介してカメラヘッド１０９−１に出力する。
ここで、送り返し映像信号切り替え部２１４は、例えば、図示しない外部切り替え装置からの切り替え信号により、カメラヘッド１０９やカメラヘッド１０９−１に出力する映像信号を選択する。また例えば、送り返し映像信号切り替え部２１４は、上位装置からの制御によって、カメラヘッド１０９−１に出力する所望の映像信号を選択する。
【００１９】
従来は、同じ外部映像入力信号を複数のカメラヘッドでモニター映像出力する場合には、それぞれのカメラヘッドに対応したそれぞれのカメラコントロールユニットに、同じ外部送り返し映像入力信号を個別に入力をする必要があった。しかし、図２の実施例によれば、１つのカメラコントロールユニットで、複数のカメラヘッドのモニター映像として出力可能となる。しかも、このカメラコントロールユニットには、１つの外部送り返し映像入力の入力端子があれば良い。
【実施例２】
【００２０】
本発明の第２の実施形態として、本発明の第１の実施形態のカメラコントロールユニットに、切り替え映像信号出力を備えた場合について、図３を用いて説明する。図３は、本発明のテレビジョンカメラシステムの構成の一実施例を示すブロック図である。３１０はカメラコントロールユニット、３０１は映像信号切り替え部、３０２は切り替え映像信号出力部、３０３は制御部、３０４は制御信号入力部、３５４は出力端子、３５５は入力端子である。図３のテレビジョンカメラシステムは、図２のカメラコントロールユニット２１０の構成に加えて、映像信号切り替え部３１０、切り替え映像信号出力部３０２、制御部３０３、及び制御信号入力部カメラコントロールユニット３０４をカメラコントロールユニット３１０に備えたものである。
【００２１】
図３において、それぞれのカメラコントロール部２２０、２２０−１の映像信号受信部１１２は、映像信号を、映像信号出力部２１５、及び他のカメラコントロール部の送り返し映像信号切り替え部２１４に出力すると共に、さらに、映像信号切り替え部３０１に出力する。
制御信号入力部３０４は、入力端子３５５を介して入力された制御信号を、制御部３０３に出力する。制御部３０３は、入力された制御信号に基づいて映像信号切り替え部３０１を制御して、入力された映像信号から所望の映像信号を選択して、切り替え映像信号出力部３０２に出力する。切り替え映像信号出力部３０２は、入力された映像信号を出力端子３５４から出力する。
【００２２】
図３の実施例によれば、実施例１の効果に加えて、他の外部機器にも、選択された映像信号を出力可能となる。
【実施例３】
【００２３】
本発明の第３の実施形態として、本発明の第２の実施形態のカメラコントロールユニットに、さらに、映像信号合成部及び合成モニター映像出力部を備えた場合について、図４を用いて説明する。図４は、本発明のテレビジョンカメラシステムの構成の一実施例を示すブロック図である。４１０はカメラコントロールユニット、４０１は映像信号合成部、４０２は合成モニター映像信号出力部、４５６は出力端子である。図４のテレビジョンカメラシステムは、図３のカメラコントロールユニット３１０の構成に加えて、映像信号合成部４０１及び合成モニター映像信号出力部４０２をカメラコントロールユニット４１０に備えたものである。
【００２４】
図４において、それぞれのカメラコントロール部２２０、２２０−１の映像信号受信部１１２は、映像信号を、映像信号出力部２１５、他のカメラコントロール部の送り返し映像信号切り替え部２１４、及び映像信号切り替え部３０１に出力すると共に、さらに、映像信号合成部４０１に出力する。
映像信号合成部４０１は、入力された映像信号（それぞれのカメラヘッドが出力した映像信号の映像を合成した映像信号（合成映像信号）を生成し、生成した合成映像信号をモニター映像出力部４０２に出力する。モニター映像出力部４０２は、入力された映像信号を出力端子４５６から出力する。
【００２５】
図４の実施例によれば、実施例１及び実施例２の効果に加えて、例えば、四分割した画面のそれぞれの領域にカメラコントロールユニットに接続した映像を表示することができ、１つのモニターに４台のカメラヘッドの映像を表示させることが可能になる。
なお、図３のカメラコントロールユニット３１０ではなく、図２のカメラコントロールユニット２１０に、映像信号合成部４０１及び合成モニター映像信号出力部４０２をカメラコントロールユニット４１０に備えても良い。
【００２６】
以上、本発明を簡単にまとめると、カメラコントロールユニットは、撮像用レンズと、撮像部と、撮像部から得られた映像信号の映像信号処理をする映像信号処理部、映像信号または送り返し映像信号受信部で受信した送り返し映像信号のいずれかを選択するモニター映像出力信号切り替え部と、モニター映像出力部を有し、映像信号送信部と送り返し映像信号を伝送する伝送部を備えたカメラヘッドを複数接続可能なカメラコントロールユニットであり、複数のカメラヘッドとケーブルまたはワイヤレスを介して接続した映像信号を受信する複数の映像信号受信部と複数の送り返し映像信号送信部を備え、複数の外部送り返し映像を選択する送り返し映像信号切り替え部を備えたものである。
【００２７】
上記、本発明のカメラコントロールユニットは、好ましくは、当該カメラコントロールユニットに接続した複数のカメラヘッドから得られた映像信号を、送り返し映像信号として選択可能な送り返し映像信号切り替え部を備えたものである。
【００２８】
また、上記、本発明のカメラコントロールユニットは、好ましくは、当該カメラコントロールユニットに接続した複数のカメラヘッドから得られた複数の映像信号を制御装置からの制御信号により選択し、切り替え、切り替え映像信号を出力可能としたものである。
【００２９】
さらに、本発明のカメラコントロールユニットは、好ましくは、当該カメラコントロールユニットに接続した複数のカメラヘッドから得られた複数の映像信号を映像信号合成部で合成し、合成した信号をモニター映像出力部から出力可能としたものである。
【符号の説明】
【００３０】
１０１：レンズ、  １０２：撮像部、  １０３：映像信号処理部、  １０４：モニター映像出力部、  １０５：モニター映像出力信号切り替え部、  １０６：映像信号送信部、  １０７：送り返し映像信号受信部、  １０８：伝送部、  １０９、１０９−１：カメラヘッド、  １１０：カメラコントロールユニット、  １１１：伝送部、  １１２：映像信号受信部、  １１３：送り返し映像信号送信部、  １１４：送り返し映像信号切り替え部、  １１５：映像信号出力部、  １１６：外部送り返し映像信号入力部、  １５１、１５２：出力端子、  １５３：入力端子、  １９０、１９１：ケーブル、  ２１０：カメラヘッド、  ２２０、２２０−１：カメラコントロール部、  ２１４：送り返し映像信号切り替え部、  ２１５：映像出力部、  ２１６：外部送り返し映像信号入力部、  ２２０、２２０−１：カメラコントロール部、  ３０１：映像信号切り替え部、  ３０２：切り替え映像信号出力部、  ３０３：制御部、  ３０４：制御信号入力部、  ３１０：カメラコントロールユニット、  ３５４：出力端子、  ３５５：入力端子、  ４０１：映像信号合成部、  ４０２：合成モニター映像信号出力部、  ４１０：カメラコントロールユニット、  ４５６：出力端子。
【図１】
2013251675.tif 000003
【図２】
2013251675.tif 000004
【図３】
2013251675.tif 000005
【図４】
2013251675.tif 000006